(57)【要約】【課題】盗難防止の効果の著しい向上を期待することができるドロワ装置を提供する。【解決手段】手動ロック解除手段を用いてロック機構をアンロック状態にして下層のドロワ４をドロワキャビネット３から引き出す場合には、上層のドロワを取り外すことで下層のドロワ４に設けられた手動ロック解除手段の操作部１５を露出させ、露出された操作部１５を操作者に操作させることにより、操作部１５の動作に連動してロック機構をアンロック状態にし、下層のドロワ４をドロワキャビネット３から引き出すことを可能にする。これにより、不正を働こうとする者がいても、上層のドロワ５を取り外すという手間がかかる上、ドロワキャビネット３に上層のドロワを収納した状態では操作部１５を外部から視認することができないことから、下層のドロワ４をドロワキャビネット３から引出開放させることは容易ではなく、盗難防止の効果の著しい向上を期待することができる。【選択図】        図５
2004199552.tif 000002
【特許請求の範囲】
【請求項１】
前面開口の箱形状のドロワキャビネットと、
上下方向に積層され、前記ドロワキャビネットに対して引出・収納自在に備えられる複数のドロワと、
前記ドロワキャビネットに設けられ、下層に位置する前記ドロワを当該ドロワキャビネットに対してロック／アンロック状態にするロック機構と、
上層に位置する前記ドロワを前記ドロワキャビネットから取り外すことによってのみ露出して操作者による操作を受け付ける操作部を有し、この操作部の動作に連動して前記ロック機構をアンロック状態にする手動ロック解除手段と、
を備えるドロワ装置。
【請求項２】
上層に位置する前記ドロワに、当該ドロワを前記ドロワキャビネットに対してロック／アンロック状態にするロック手段を設ける請求項１記載のドロワ装置。
【発明の詳細な説明】
【０００１】
【発明の属する技術分野】
本発明は、ＰＯＳ（Point of Sales）端末などの商品販売データ処理装置による商品売上処理に関連して金銭の出し入れをするためのドロワ装置に関する。
【０００２】
【従来の技術】
例えば図７に示すように、一般に、この種のドロワ装置１０１は、ＰＯＳ（Point of Sales）端末１０２を載置可能に構成されており、金銭を収納するためのマネーケース１０３を取り出し自在に内蔵したドロワ１０４がドロワキャビネット１０５に対して引出・収納自在に備えられている。マネーケース１０３は金銭を収納している関係上、ドロワ１０４はロック機構（図示せず）によりドロワキャビネット１０５に通常ロックされている。
【０００３】
このようなドロワ１０４のドロワキャビネット１０５からの引出開放（ロック機構のロック状態の解除）は、通常は、ＰＯＳ端末１０２のキーボード１０６におけるキー操作等に基づき商品売上処理に連動する形で行われる。最も一般的には、締めキーの操作に基づき自動的にドロワ１０４をドロワキャビネット１０５から引出開放させ、受け取った金銭の収納や釣銭の支払を行えるようにしている。また、店舗の閉店後にマネーケース１０３内の金銭を回収するために店長やマネージャがドロワ１０４をドロワキャビネット１０５から引出開放させるためのドロワ鍵１０７も用意されている。このため、ドロワ１０４の前面１０４ａには鍵穴１０８ａを有するキーシリンダ１０８が設けられている。また、このドロワ鍵１０７は停電が発生した際にドロワ１０４を引出開放させて金銭の出し入れを行うためにも用いられる。
【０００４】
また、紙幣及び硬貨の各収納スペースを拡大すべく、ドロワを上下二段に積層させた構成のドロワ装置も提案されている（例えば、特許文献１参照）。
【０００５】
【特許文献１】
特開平０６−３４８９５６号公報
【０００６】
【発明が解決しようとする課題】
ところが、図７に示すような構成によれば、ＰＯＳ端末１０２側のキー操作が判らなくてもドロワ鍵１０７を保有していれば、店長やマネージャでなくても、誰でもドロワ１０４を任意に引出開放できることになる。この結果、例えば、ドロワ鍵１０７の合鍵を持った者が、キャッシャの目がＰＯＳ端末１０２から離れた隙に、或るいは、休止中のＰＯＳ端末１０２に関して、キーシリンダ１０８の鍵穴１０８ａに合鍵を差し込んで回しドロワ１０４を引出開放させると、ドロワ１０４に内蔵されたマネーケース１０３中の金銭を盗むことが簡単にできてしまう。つまり、ドロワ鍵１０７（合鍵を含む）を用いることにより、開店中であっても、極めて短時間の間に簡単に盗みが行えてしまう不都合がある。
【０００７】
本発明は、盗難防止の効果の著しい向上を期待することができるドロワ装置を提供することを目的とする。
【０００８】
【課題を解決するための手段】
本発明のドロワ装置は、前面開口の箱形状のドロワキャビネットと、上下方向に積層され、前記ドロワキャビネットに対して引出・収納自在に備えられる複数のドロワと、前記ドロワキャビネットに設けられ、下層に位置する前記ドロワを当該ドロワキャビネットに対してロック／アンロック状態にするロック機構と、上層に位置する前記ドロワを前記ドロワキャビネットから取り外すことによってのみ露出して操作者による操作を受け付ける操作部を有し、この操作部の動作に連動して前記ロック機構をアンロック状態にする手動ロック解除手段と、を備える。
【０００９】
したがって、手動ロック解除手段を用いてロック機構をアンロック状態にして下層のドロワをドロワキャビネットから引き出す場合には、上層のドロワを取り外すことで下層のドロワに設けられた手動ロック解除手段の操作部が露出され、露出された操作部が操作者に操作されることにより、操作部の動作に連動してロック機構がアンロック状態にされ、下層のドロワをドロワキャビネットから引き出すことが可能になる。
【００１０】
【発明の実施の形態】
本発明の実施の一形態を図１ないし図６に基づいて説明する。本実施の形態のドロワ装置は、ＰＯＳ端末に接続して使用されるものであって、硬貨払出装置とともに用いられるドロワ装置に適用されている。
【００１１】
ここで、図１はドロワ装置１を硬貨払出装置２とともに示す外観斜視図である。本実施の形態のドロワ装置１は、硬貨払出装置２と並べて配置することにより、上部にＰＯＳ端末（図示せず）を載置可能としたものである。硬貨払出装置２は、ＰＯＳ端末のＣＰＵ（Central Processing Unit）等のデータ制御手段に接続され、このデータ制御手段の所定の出力データ（釣り銭データ）に従って釣り銭分の硬貨を払い出すようになっている周知の装置と何ら変わるものではないので、ここでの説明は省略する。
【００１２】
次に、ドロワ装置１について説明する。ドロワ装置１の筐体であって前面開口の箱形状のドロワキャビネット３には、紙幣を収納するためのマネーケース４ｃ（図２参照）を収納・取り出し自在に備えるドロワ４と、商品券等を収納するためのドロワ５とが、ドロワキャビネット３に対して引出・収納自在に備えられている。このドロワキャビネット３は、硬貨払出装置２の前面の延長線上に収納状態のドロワ４及びドロワ５の前面が位置するように構成されている。図１に示すように、これらのドロワ４及びドロワ５は、上下二段に積層されて備えられており、省スペース化が図られている。また、ドロワ５には、ドロワ５を引き出さなくとも商品券等の収納が可能なように、スリット状のメディアスロット６が設けられている。さらに、ドロワ５には、ドロワ５をドロワキャビネット３に対してロック／アンロック状態にするキーシリンダ７が設けられている。このキーシリンダ７は、キー（図示せず）を持つ者のみがドロワ５をドロワキャビネット３に対してロック／アンロック状態にすることができる。すなわち、キーシリンダ７は、ドロワ５をドロワキャビネット３に対してロック／アンロック状態にするものであって、特定の操作者による操作のみを受け付けるロック手段として機能する。なお、ロック手段としては、このようなキーシリンダ７に限るものではなく、指紋等の各種認証装置を備えるものであっても良い。
【００１３】
なお、周知の構造であるため特に図示しないが、ドロワキャビネット３の内側面にはガイドレールが形成されており、ドロワ４及びドロワ５の外側面にはガイドローラが形成されている。これらのガイドレールとガイドローラとの作用により、ドロワ４及びドロワ５は、ドロワキャビネット３に対して引出・収納自在とされている。
【００１４】
このようなドロワ装置１においては、従来のドロワ装置と同様に、ＰＯＳ端末におけるキー操作等に基づき商品売上処理に連動する形でドロワ４が引出開放（ロック機構８（図２参照）のロック状態の解除）される構成になっている。
【００１５】
ここで、ドロワ４をドロワキャビネット３の内部に閉止状態にロックするロック機構８について図２を参照しつつ説明する。ロック機構８は、ドロワ４を前方に付勢するコイルスプリング９とともにドロワキャビネット３の底板３ａ上に設けられているフック形状のロックアーム８ａとドロワ４の収納方向奥側に設けられた引掛け部８ｂとを主体に構成されており、ロックアーム８ａを引掛け部８ｂに引掛けた状態でロック状態となるものである。
【００１６】
このロック機構８には、ロック機構８のロックを解除する自動ロック解除手段１１が連結されている。より詳細には、ロック機構８を構成するロックアーム８ａにはソレノイド１０が接続されており、ＰＯＳ端末のキー操作等に基づく出力データによりソレノイド１０を動作させることでロックアーム８ａをロック解除方向へと移動させてロック機構８のロック状態を解除することが可能になっている。
【００１７】
加えて、ロック機構８には、ロック機構８のロックを手動で解除することが可能な手動ロック解除手段１３が連結されている。より詳細には、ロックアーム８ａには下方に向けて突出形成された突起８ｃが設けられており、また、ドロワ４の底部４ａ（図３参照）にはドロワキャビネット３に対してドロワ４を収納した状態でロックアーム８ａの突起８ｃに端部１２ａが当接する針金状のロック解除アーム１２が設けられている。このロック解除アーム１２は、詳細は後述するが所定の位置（図３に示すガイド部Ｇ１）を支点として揺動自在とされている。そして、このロック解除アーム１２を動作させて端部１２ａでロックアーム８ａの突起８ｃを押圧することで、ロックアーム８ａをロック解除方向へと移動させてロック機構８のロック状態を解除することが可能になっている。
【００１８】
続いて、手動ロック解除手段１３について詳細に説明する。なお、自動ロック解除手段１１については、従来のドロワ装置の自動ロック解除手段と何ら変わるものではないので、説明は省略する。ここで、図３はロック解除アーム１２のドロワ４の底部４ａに対する取り付け状態を示す平面図である。図３に示すように、ロック解除アーム１２は、ドロワ４の底部４ａに形成された２ヶ所のガイド部Ｇ１、Ｇ２で保持されている。ガイド部Ｇ１は、ドロワ４の奥行き方向の中程に形成されていてロック解除アーム１２を揺動自在に支持するためのものであり、ロック解除アーム１２の横方向への動きを規制している。また、ガイド部Ｇ２は、ロックアーム８ａ側（つまり、ロック解除アーム１２の端部１２ａの側）に形成されており、ガイド部Ｇ１に比べて幅広に形成されている。これは、ガイド部Ｇ１を支点として揺動されるロック解除アーム１２の横方向への動きを妨げないようにするためである。
【００１９】
加えて、このようにしてドロワ４の底部４ａに取り付けられるロック解除アーム１２の端部１２ａとは反対側に位置する端部１２ｂには、手動ロック解除手段１３の一部を構成する回動機構１４が接続されている。図４は回動機構１４を概略的に示す斜視図である。図４に示すように、回動機構１４には、ロック解除アーム１２の端部１２ｂが連結されるレバー１５が設けられている。より詳細には、このレバー１５は、操作者による操作を受け付ける操作部として機能するものであって、支軸１５ａを支点として揺動自在とされている。このようなレバー１５には引っ張りバネＳが取り付けられており、レバー１５は常に所定の位置に戻るように付勢されている。すなわち、レバー１５に連結されているロック解除アーム１２も、引っ張りバネＳによって常に所定の位置に戻るように付勢されている。
【００２０】
ところで、図３に示したように、ドロワ４の前面パネル４ｂには、ロック解除部である凹部１６が形成されている。この前面パネル４ｂに形成された凹部１６は、ドロワキャビネット３にドロワ４及びドロワ５を収納した状態では（図１参照）、外部から視認することができないようになっている。このように前面パネル４ｂに形成された凹部１６には、回動機構１４を構成するレバー１５の先端部分が収納される。
【００２１】
このような構成において、手動ロック解除手段１３を用いたロック機構８のロック解除方法について説明する。手動ロック解除手段１３を用いてロック機構８のロック状態を解除する場合、操作者は、まずドロワ５のキーシリンダ７に鍵（図示せず）を差し込んで回動させてドロワキャビネット３に対するドロワ５のロック状態を解除し、ドロワキャビネット３からドロワ５を引き出す。図５に示すように、ドロワキャビネット３からドロワ５が取り外されるまで引き出すとドロワ４の前面パネル４ｂに形成されたロック解除部である凹部１６が露出する。
【００２２】
次に、操作者は、ドロワ４の前面パネル４ｂに形成された凹部１６内のレバー１５を引っ張りバネＳの引っ張り力に抗してＡ方向（図５参照）に動作させる。これにより、図６に示すように、レバー１５の回動に伴いロック解除アーム１２がＢ方向へと移動する。このロック解除アーム１２の方向Ｂへの移動により、ロック解除アーム１２はガイド部Ｇ１を支点として揺動することになり、ロック解除アーム１２の端部１２ａがロックアーム８ａの突起８ｃを押圧することになる。このようにロック解除アーム１２の端部１２ａがロックアーム８ａの突起８ｃを押圧することによって、ロック機構８のロック状態が解除され、コイルスプリング９によりドロワ４をドロワキャビネット３から引出開放させることができる。ドロワ４が開放された場合、レバー１５とロック解除アーム１２とは、引っ張りバネＳによって所定の位置に戻ることになる。
【００２３】
したがって、上層のドロワ５のキーシリンダ７によるドロワキャビネット３とのロック状態を解除して上層のドロワ５を取り外すまで、下層のドロワ４の前面パネル４ｂに形成された凹部１６内のレバー１５を視認することができない。すなわち、手動ロック解除手段１３を用いてロック機構８をアンロック状態にして下層のドロワ４をドロワキャビネット３から引出開放させる場合には、上層のドロワ５のキーシリンダ７によるドロワキャビネット３とのロック状態を解除して上層のドロワ５を取り外すという手間がかかる上、ドロワキャビネット３にドロワ４及びドロワ５を収納した状態ではレバー１５を外部から視認することができないことから、例えドロワ５のキーシリンダ７に適応する鍵を有している者が不正を働こうとしても、紙幣が収納されている下層のドロワ４をドロワキャビネット３から引出開放させることは容易ではないため、盗難防止の効果の著しい向上を期待することが可能になっている。
【００２４】
このように本実施の形態においては、手動ロック解除手段１３を用いてロック機構８をアンロック状態にして下層のドロワ４をドロワキャビネット３から引き出す場合には、上層のドロワ５を取り外すことで下層のドロワ４に設けられたロック解除部である凹部１６内の手動ロック解除手段１３の操作部であるレバー１５が露出され、露出されたレバー１５が操作者に操作されることにより、レバー１５の動作に連動してロック機構８がアンロック状態にされ、下層のドロワ４をドロワキャビネット３から引き出すことが可能になる。これにより、不正を働こうとする者がいても、上層のドロワ５を取り外すという手間がかかる上、ドロワキャビネット３にドロワ４及びドロワ５を収納した状態ではレバー１５を外部から視認することができないことから、紙幣が収納されている下層のドロワ４をドロワキャビネット３から引出開放させることは容易ではなく、盗難防止の効果の著しい向上を期待することが可能になっている。
【００２５】
また、本実施の形態においては、上層に位置するドロワ５に、当該ドロワ５をドロワキャビネット３に対してロック／アンロック状態にするロック手段として機能するキーシリンダ７を設けることにより、さらに盗難防止の効果の著しい向上を期待することが可能になっている。
【００２６】
【発明の効果】
本発明によれば、不正を働こうとする者がいても、上層のドロワを取り外すという手間がかかる上、ドロワキャビネットに上層のドロワを収納した状態では操作部を外部から視認することができないことから、下層のドロワをドロワキャビネットから引出開放させることは容易ではなく、盗難防止の効果の著しい向上を期待することができる。すなわち、下層のドロワに高額紙幣等を収納するようにすれば、盗難防止の効果の著しい向上を期待することができる。
【図面の簡単な説明】
【図１】本発明の実施の一形態のドロワ装置を硬貨払出装置とともに示す外観斜視図である。
【図２】ドロワ装置の内部構造を概略的に示す斜視図である。
【図３】ロック解除アームのドロワの底部に対する取り付け状態を示す平面図である。
【図４】回動機構を概略的に示す斜視図である。
【図５】ドロワキャビネットからドロワが取り出された状態を示す斜視図である。
【図６】レバーの回動に伴いロック解除アームが移動する様子を示す正面図である。
【図７】従来のドロワ装置を示す外観斜視図である。
【符号の説明】
１…ドロワ装置、３…ドロワキャビネット、４…下層のドロワ、５…上層のドロワ、７…ロック手段、８…ロック機構、１３…手動ロック解除手段、１５…操作部
【図１】
2004199552.tif 000003
【図２】
2004199552.tif 000004
【図３】
2004199552.tif 000005
【図４】
2004199552.tif 000006
【図５】
2004199552.tif 000007
【図６】
2004199552.tif 000008
【図７】
2004199552.tif 000009